(57)【特許請求の範囲】
【請求項１】
内部に中空部を具えたゴルフクラブヘッドであって、
フェース部、クラウン部及びソール部を有するヘッド本体と、前記ヘッド本体の前記中空部内に配された錘部材とを具え、
前記錘部材は、前記ヘッド本体のトウ側に固定されたトウ側の端部と、ヘッド本体のヒール側に固定されたヒール側の端部との間を連続してのびており、
スイートスポットを含むヘッド縦断面において、前記錘部材は、ヘッド本体の内面と接触することなく設けられており、
前記錘部材のトウ・ヒール方向の中央部の断面積は、前記錘部材のトウ側部の断面積及び前記錘部材のヒール側部の断面積よりも小さく、
ヘッド平面視において、前記錘部材には、前記フェース部側に凹んだ凹部が設けられており、
前記ヘッド平面視において、前記凹部は、略三角形状であることを特徴とするゴルフクラブヘッド。
【請求項２】
前記錘部材の前記中央部は、前記ヘッド縦断面の位置を含む領域である請求項１記載のゴルフクラブヘッド。
【請求項３】
前記錘部材の重心は、ヘッド重心よりも前記フェース部側に位置している請求項１又は２記載のゴルフクラブヘッド。
【請求項４】
前記錘部材の重心は、ヘッド重心よりも前記ソール部側に位置している請求項１乃至３のいずれかに記載のゴルフクラブヘッド。
【請求項５】
内部に中空部を具えたゴルフクラブヘッドであって、
フェース部、クラウン部及びソール部を有するヘッド本体と、前記ヘッド本体の前記中空部内に配された錘部材とを具え、
前記錘部材は、前記ヘッド本体のトウ側に固定されたトウ側の端部と、ヘッド本体のヒール側に固定されたヒール側の端部との間を連続してのびており、
スイートスポットを含むヘッド縦断面において、前記錘部材は、ヘッド本体の内面と接触することなく設けられており、
前記錘部材のトウ・ヒール方向の中央部の断面積は、前記錘部材のトウ側部の断面積及び前記錘部材のヒール側部の断面積よりも小さく、
ヘッド平面視において、前記錘部材には、前記フェース部側に凹んだ凹部が設けられており、
前記ヘッド平面視において、前記凹部は、ヘッド重心から３mm以内に位置する中心を有した前記フェース部側に凸の円弧状であることを特徴とするゴルフクラブヘッド。
【請求項６】
内部に中空部を具えたゴルフクラブヘッドであって、
ヘッド本体と、前記ヘッド本体の前記中空部内に配された錘部材とを具え、
前記錘部材は、トウ側の錘部材と、ヒール側の錘部材とを含み、
前記トウ側の錘部材は、前記ヘッド本体のトウ側に固定されたトウ側の端部から前記ヘッド本体の内面と接触することなくヒール側にのびかつ前記中空部内で途切れる第１端部を有し、
前記ヒール側の錘部材は、前記ヘッド本体のヒール側に固定されたヒール側の端部から前記ヘッド本体の内面と接触することなくトウ側にのびかつ前記中空部内で途切れる第２端部を有し、
前記第１端部と前記第２端部とは、互いに離間しており、
ヘッド平面視において、前記第１端部と前記第２端部とは、トウ・ヒール方向に離間しており、その離間長さは、ヘッド後方に向かって大きくなっていることを特徴とするゴルフクラブヘッド。
【請求項７】
ヘッド平面視において、前記第１端部と前記第２端部は、ヘッド重心から３mm以内に位置する中心を有した円弧に沿った曲線状に形成されている請求項６に記載のゴルフクラブヘッド。
【請求項８】
重心深度が、ヘッドのフェースプログレッション以上でかつ２７．０mm以下であり、ヘッド重心を通る垂直軸周りの慣性モーメントが２７００ｇ・cm２以上である請求項６又は７記載のゴルフクラブヘッド。
【請求項９】
下式で定義される重心深度率が、｛１００×フェースプログレッション（mm）／ヘッド前後方向最大長さ（mm）｝％〜３３．０％の範囲内である請求項６記載のゴルフクラブヘッド。
重心深度率（％）＝１００×重心深度（mm）／ヘッド前後方向最大長さ（mm）
【請求項１０】
ヘッド重心を通る垂直軸周りの慣性モーメントが２８００ｇ・cm２以上である請求項８記載のゴルフクラブヘッド。
【請求項１１】
ヘッド前後方向、ヘッド上下方向及びトウ・ヒール方向のいずれか１方向で、前記トウ側の錘部材又はヒール側の錘部材の位置を変える調節手段を含む請求項６乃至１０のいずれかに記載のゴルフクラブヘッド。
【請求項１２】
内部に中空部を具えたゴルフクラブヘッドであって、
ヘッド本体と、前記ヘッド本体の前記中空部内に配された錘部材とを具え、
前記錘部材は、トウ側の錘部材と、ヒール側の錘部材とを含み、
前記トウ側の錘部材は、前記ヘッド本体のトウ側に固定されたトウ側の端部から前記ヘッド本体の内面と接触することなくヒール側にのびかつ前記中空部内で途切れる第１端部を有し、
前記ヒール側の錘部材は、前記ヘッド本体のヒール側に固定されたヒール側の端部から前記ヘッド本体の内面と接触することなくトウ側にのびかつ前記中空部内で途切れる第２端部を有し、
前記第１端部と前記第２端部とは、互いに離間しており、
ヘッド平面視において、前記第１端部と前記第２端部は、ヘッド重心から３mm以内に位置する中心を有した円弧に沿った曲線状に形成されていることを特徴とするゴルフクラブヘッド。
【発明の詳細な説明】
【技術分野】
【０００１】
本発明は、ヘッド本体と錘部材とを具えたゴルフクラブヘッドに関し、詳しくは大きな慣性モーメントを具えたゴルフクラブヘッドに関する。
【背景技術】
【０００２】
下記特許文献１は、いわゆる浅く低いヘッド重心を提供するために、カップ状のフェース部材と、これに接合されるヘッド本体とを含む中空のゴルフクラブヘッドを開示している。ヘッド本体のソール部には、トウ・ヒール方向にのびる舌状の錘部材が固着されている。この錘部材は、フェース部材の内側のキャビティに位置するように前側にのびている。
【先行技術文献】
【特許文献】
【０００３】
【特許文献１】米国特許第８３２８６６１号明細書
【発明の概要】
【発明が解決しようとする課題】
【０００４】
しかしながら、上述のヘッドは、錘部材が、ソール部の内面に固着されているため、ソール部が高い曲げ剛性を有する。このため、上述のヘッドは、ボール打撃時、明らかにヘッド本体が十分に撓み難く、反発性能を損ねるというおそれがある。また、上述のヘッドでは、ヘッド重心を通る垂直軸周りの慣性モーメント（以下、単に、「慣性モーメント」という。）が小さいという問題があった。
【０００５】
本発明は、以上のような問題点に鑑み案出なされたもので、大きな慣性モーメントを具えることが可能なゴルフクラブヘッドを提供することを主たる目的としている。
【課題を解決するための手段】
【０００６】
本願の第１の発明は、内部に中空部を具えたゴルフクラブヘッドであって、フェース部、クラウン部及びソール部を有するヘッド本体と、前記ヘッド本体の前記中空部内に配された錘部材とを具え、前記錘部材は、前記ヘッド本体のトウ側に固定されたトウ側の端部と、ヘッド本体のヒール側に固定されたヒール側の端部との間を連続してのびており、スイートスポットを含むヘッド縦断面において、前記錘部材は、ヘッド本体の内面と接触することなく設けられており、前記錘部材のトウ・ヒール方向の中央部の断面積は、前記錘部材のトウ側部の断面積及び前記錘部材のヒール側部の断面積よりも小さい。
【０００７】
第１の発明の一態様では、前記錘部材の前記中央部は、前記ヘッド縦断面の位置を含む領域であることが望ましい。
【０００８】
第１の発明の一態様では、前記錘部材の重心は、ヘッド重心よりも前記フェース部側に位置しているのが望ましい。
【０００９】
第１の発明の一態様では、前記錘部材の重心は、ヘッド重心よりも前記ソール部側に位置しているのが望ましい。
【００１０】
第１の発明の一態様では、ヘッド平面視において、前記錘部材には、前記フェース部側に凹んだ凹部が設けられているのが望ましい。
【００１１】
第１の発明の一態様では、ヘッド平面視において、前記凹部は、略三角形状であるのが望ましい。
【００１２】
第１の発明の一態様では、ヘッド平面視において、前記凹部は、前記フェース部側に凸の円弧状であるのが望ましい。
【００１３】
第１の発明の一態様では、ヘッド平面視において、前記凹部は、ヘッド重心から３mm以内に位置する中心を有した円弧に沿った曲線状に形成されているのが望ましい。
【００１４】
本願の第２の発明は、内部に中空部を具えたゴルフクラブヘッドであって、ヘッド本体と、前記ヘッド本体の前記中空部内に配された錘部材とを具え、前記錘部材は、トウ側の錘部材と、ヒール側の錘部材とを含み、前記トウ側の錘部材は、前記ヘッド本体のトウ側に固定されたトウ側の端部から前記ヘッド本体の内面と接触することなくヒール側にのびかつ前記中空部内で途切れる第１端部を有し、前記ヒール側の錘部材は、前記ヘッド本体のヒール側に固定されたヒール側の端部から前記ヘッド本体の内面と接触することなくトウ側にのびかつ前記中空部内で途切れる第２端部を有し、前記第１端部と前記第２端部とは、互いに離間している。
【００１５】
第２の発明の一態様では、ヘッド平面視において、前記第１端部と前記第２端部とは、トウ・ヒール方向に離間しており、その離間長さは、ヘッド後方に向かって大きくなっているのが望ましい。
【００１６】
第２の発明の一態様では、ヘッド平面視において、前記第１端部と前記第２端部は、ヘッド重心から３mm以内に位置する中心を有した円弧に沿った曲線状に形成されている請求項９又は１０に記載のゴルフクラブヘッド。
【００１７】
第２の発明の一態様では、重心深度が、ヘッドのフェースプログレッション以上でかつ２７．０mm以下であり、ヘッド重心を通る垂直軸周りの慣性モーメントが２７００ｇ・cm２以上であるのが望ましい。
【００１８】
第２の発明の一態様では、下式で定義される重心深度率が、｛１００×フェースプログレッション（mm）／ヘッド前後方向最大長さ（mm）｝％〜３３．０％の範囲内であるのが望ましい。
重心深度率（％）＝１００×重心深度（mm）／ヘッド前後方向最大長さ（mm）
【００１９】
第２の発明の一態様では、ヘッド重心を通る垂直軸周りの慣性モーメントが２８００ｇ・cm２以上であるのが望ましい。
【００２０】
第２の発明の一態様では、ヘッド前後方向、ヘッド上下方向及びトウ・ヒール方向のいずれか１方向で、前記トウ側の錘部材又はヒール側の錘部材の位置を変える調節手段を含むことが望ましい。
【発明の効果】
【００２１】
本発明の第１の態様は、内部に中空部を具えたゴルフクラブヘッドであって、フェース部、クラウン部及びソール部を有するヘッド本体と、前記ヘッド本体の前記中空部内に配された錘部材とを具えている。前記錘部材は、前記ヘッド本体のトウ側に固定されたトウ側の端部と、ヘッド本体のヒール側に固定されたヒール側の端部との間を連続してのびている。スイートスポットを含むヘッド縦断面において、前記錘部材は、フェース部、及び前記ソール部と接触することなく設けられている。また、前記錘部材のトウ・ヒール方向の中央部は、前記錘部材のトウ側部の断面積及びヒール側部の断面積よりも小さい断面積を有している。このような錘部材は、ソール部の剛性を過度に高めることないので、本発明のゴルフクラブヘッドは、高い反発性能が期待され得る。また、錘部材は、例えばトウ側及びヒール側により多くの重量を配分することができるため、本発明のゴルフクラブヘッドは、大きな慣性モーメントを具え、ミスショット時でも打球の方向性が安定する。
【００２２】
本発明の第２の態様は、内部に中空部を具えたゴルフクラブヘッドであって、ヘッド本体と、前記ヘッド本体の前記中空部内に配された錘部材とを具えている。前記錘部材は、トウ側の錘部材と、ヒール側の錘部材とを含んでいる。前記トウ側の錘部材は、前記ヘッド本体のトウ側に固定されたトウ側の端部から前記ヘッド本体の内面と接触することなくヒール側にのびかつ前記中空部内で途切れる第１端部を有する。前記ヒール側の錘部材は、前記ヘッド本体のヒール側に固定されたヒール側の端部から前記ヘッド本体の内面と接触することなくトウ側にのびかつ前記中空部内で途切れる第２端部を有する。前記第１端部と前記第２端部とは、互いに離間している。このような錘部材は、ソール部の剛性を過度に高めることないので、本発明のゴルフクラブヘッドは、高い反発性能が期待され得る。また、錘部材は、例えばトウ側及びヒール側により多くの重量を配分することができるため、本発明のゴルフクラブヘッドは、大きな慣性モーメントを具え、ミスショット時でも打球の方向性が安定する。
【図面の簡単な説明】
【００２３】
【図１】本発明の第１実施形態のゴルフクラブヘッドの全体斜視図である。
【図２】図１のゴルフクラブヘッドの縦断面図である。
【図３】図２のゴルフクラブヘッドの後側部材の斜視図である。
【図４】図３の後側部材の正面図である。
【図５】図１のゴルフクラブヘッドの水平断面図である。
【図６】（ａ）、（ｂ）及び（ｃ）は、それぞれ、図５のＴ−Ｔ線断面、Ｃ−Ｃ線断面及びＨ−Ｈ線断面である。
【図７】錘部材の他の態様を示すゴルフクラブヘッドの水平断面図である。
【図８】錘部材の他の態様を示すゴルフクラブヘッドの分解斜視図である。
【図９】図８の断面図である。
【図１０】錘部材の他の態様を示すゴルフクラブヘッドの断面図である。
【図１１】本発明の第２実施形態のゴルフクラブヘッドの全体斜視図である。
【図１２】図１１のゴルフクラブヘッドの後側部材の斜視図である。
【図１３】図１２の後側部材の正面図である。
【図１４】図１１のゴルフクラブヘッドの水平断面図である。
【図１５】（ａ）及び（ｂ）は、それぞれ、図１４のＴ−Ｔ線断面図及びＨ−Ｈ線断面図である。
【図１６】ゴルフクラブヘッドの基準状態の側面図である。
【図１７】重心深度と慣性モーメントとの関係を示すグラフである。
【図１８】重心深度率と慣性モーメントとの関係を示すグラフである。
【図１９】錘部材の他の態様を示すゴルフクラブヘッドの水平断面図である。
【図２０】錘部材の他の態様を示すゴルフクラブヘッドの水平断面図である。
【図２１】錘部材の他の態様を示すゴルフクラブヘッドの水平断面図である。
【図２２】錘部材の他の態様を示すゴルフクラブヘッドの断面図である。
【図２３】錘部材の他の態様を示すゴルフクラブヘッドの断面図である。
【図２４】錘部材の他の態様を示すゴルフクラブヘッドの分解斜視図である。
【図２５】比較例のゴルフクラブヘッドの縦断面図である。
【発明を実施するための形態】
【００２４】
以下、本発明のいくつかの実施形態が図面に基づき説明される。本明細書では、全ての実施形態を通して、同一乃至共通する部材に、同じ符号が付されている。
【００２５】
［第１実施形態］
図１には、この実施形態のゴルフクラブヘッド（以下、単に「ヘッド」ということがある。）１の斜視図が示されている。ヘッド１は、内部の中空部ｉを画定するように、フェース部２、クラウン部３、ソール部４、サイド部５を含んでいる。
【００２６】
フェース部２は、ボールの打撃面であるフェース２ａを有している。クラウン部３は、フェース部２に連なりヘッド上面を形成している。ソール部４は、フェース部２に連なりヘッド底面を形成している。サイド部５は、クラウン部３とソール部４との間をつないでいる。このサイド部５のトウ側及びヒール側は、それぞれフェース部２に接続されている。クラウン部３のヒール側には、ホーゼル部６が設けられている。ホーゼル部６は、シャフト（図示省略）が固定可能なように、シャフト差込孔６ａを有した筒状である。
【００２７】
本実施形態のヘッド１は、ウッド型のものが示されている。ウッド型のヘッドは、少なくともドライバー（＃１）、ブラッシー（＃２）、スプーン（＃３）、バフィ（＃４）及びクリーク（＃５）を含んでいる。加えて、ウッド型のヘッドは、先に列挙されたものと番手又は名称が異なっていても、略類似した形状を持つヘッドを含む。他の実施形態では、ヘッド１はユーティリティー型に構成され得るし、中空構造であればアイアン型であっても良い。
【００２８】
図２には、図１のＡ−Ａ断面図が示されている。この断面図は、スイートスポットＳＳを含むヘッド縦断面である。スイートスポットＳＳとは、ヘッド重心ＣＧからフェース２ａに下ろした垂線Ｎの足である。上記ヘッド縦断面とは、ヘッド１が規定のライ角及びロフト角及びフック角で水平面ＨＰに置かれた基準状態において、前記垂線Ｎを含み水平面ＨＰと直角な断面のことである。「規定のライ角」及び「規定のロフト角」は、当該ヘッド１に定められたライ角及びロフト角である。また、このヘッド縦断面と直角な軸線方向は、トウ・ヒール方向として定義される。ヘッド平面視において、トウ・ヒール方向と直角な軸線方向は、ヘッド前後方向として定義される。
【００２９】
ヘッド１は、ヘッド本体１０と、錘部材１１とを含んで構成されている。
【００３０】
ヘッド本体１０は、前記したフェース部２、クラウン部３、ソール部４、サイド部５及びホーゼル部６を全て含んでおり、中空部ｉを囲んでいる外殻の部分である。本実施形態のヘッド本体１０は、例えば、金属材料で形成されている。この金属材料として、例えば、ステンレス、マレージング鋼、チタン合金、マグネシウム合金又はアルミニウム合金が採用され得る。ヘッド本体１０は、繊維強化樹脂で作られても良い。好ましい態様では、ヘッド本体１０は、USGAのゴルフ規則を満足するように、４７０cc以下、より好ましくは４６０cc以下で定められる。
【００３１】
ヘッド本体１０は、例えば、前側部分１０ａと、後側部分１０ｂとから構成されている。ヘッド１において、前側は、フェース２ａ側を意味し、後側は、フェース２ａとは反対側を意味する。
【００３２】
前側部分１０ａは、フェース部２を含んだ部分である。本実施形態の前側部分１０ａは、フェース部２の全部と、フェース部２の周縁からヘッド後方に折り曲げられているフランジ部１３とを含んでいる。これにより、前側部分１０ａは、ヘッド後方に開口縁Ｏ１を有する浅い略カップ状に形成されている。フランジ部１３は、クラウン部３、ソール部４、サイド部５のトウ側及びサイド部５のヒール側の各前側部分を形成している。
【００３３】
図３には、ヘッド本体１０の後側部分１０ｂの斜視図が示されている。後側部分１０ｂは、前側部分１０ａよりもヘッド後側を構成している。後側部分１０ｂは、クラウン部３、ソール部４、サイド部５の各後側部分を形成している。これにより、後側部分１０ｂは、ヘッド前側に開口縁Ｏ２を有したやや深い略カップ状に形成されている。本実施形態では、ホーゼル部６は、後側部分１０ｂに含まれているが、特にこの態様に限定されるものではない。
【００３４】
図２に示されるように、前側部分１０ａと後側部分１０ｂとは、互いの開口縁Ｏ１、Ｏ２とを向きあわせて、例えば、溶接により固着されている。前側部分１０ａ、後側部分１０ｂの形態は、一例であり、上記の態様に限定されるものではない。
【００３５】
錘部材１１は、ヘッド本体１０の中空部ｉに配されている。錘部材１１は、例えば、ヘッド本体１０と同じ材料か、又は、それよりも大きい比重を有した材料で構成されるのが望ましい。錘部材１１の材料は、ヘッド本体１０を構成する材料に応じて適宜選択され得る。錘部材１１の材料としては、特に制限はないが、例えば、ステンレス、チタン合金、銅合金又はタングステン合金、マレージング鋼等の金属材料が好適である。本発明の他の実施形態では、錘部材１１は、ヘッド本体１０と同一の材料で形成される。例えば、錘部材１１とヘッド本体１０とは、鋳造で一体に成形されても良い。この場合、錘部材１１は、ヘッド本体１０と同じ比重を有する。
【００３６】
図３に示したように、錘部材１１は、トウ・ヒール方向にのびている。トウ・ヒール方向にのびているとは、単に、トウ・ヒール方向に長さを有していることを意味している。従って、錘部材１１は、中空部ｉの中で最もトウ側から最もヒール側まで連続して全範囲をのびている必要はない。
【００３７】
図２に示されるように、錘部材１１は、上記ヘッド縦断面において、ヘッド本体１０の内面と接触することなく設けられている。即ち、錘部材１１の横断面の輪郭線は、ヘッド本体１０のフェース部２、クラウン部３、ソール部４及びサイド部５の各内面と接触することなく設けられている。図２から明らかなように、錘部材１１とヘッド本体１０との間には、連続した隙間が設けられ、錘部材１１は、この縦断面において、あたかも宙に浮いたように配置されている。上記隙間は、ボール打撃時にヘッド本体１０が弾性変形したときでも、両者を非接触の状態に保つ。このような観点から、隙間は、好ましくは、１mm以上、より好ましくは２mm以上、さらに好ましくは３mm以上とされるのが良い。
【００３８】
フェース２ａでボールを打撃した場合、上記ヘッド縦断面において、フェース部２及びソール部４は、実質的に錘部材１１の制約を受けることなく撓むことができる。さらに、本実施形態の錘部材１１は、クラウン部３やソール部４の剛性を過度に高めることもない。従って、本実施形態のヘッド１は、ボール打撃時、クラウン部３やソール部４は、柔軟に撓むことができるので、優れた反発性能を発揮できる。
【００３９】
図２のヘッド縦断面において、錘部材１１は、例えば、フェース部２とソール部４とがなすコーナ部（リーディングエッジ２ｅ）側に寄せて設けられているのが望ましい。この実施形態では、錘部材１１は、ヘッド本体１０の前側部分１０ａの開口縁Ｏ１をフェース側に越えている部分を含んでいる。好ましい実施形態では、錘部材１１の重心ｇは、ヘッド重心ＣＧよりもフェース部２側でかつソール部４側に位置している。さらに好ましい一態様では、錘部材１１の全部が、ヘッド重心ＣＧよりもソール部４側に位置している。さらに好ましい一態様では、錘部材１１の全部が、ヘッド重心ＣＧよりもフェース部２側に位置している。このようなヘッド１は、より低くかつ浅いヘッド重心ＣＧを持つことができるので、例えば、上級者が好む弾道（低スピン量の弾道）を達成しうる。
【００４０】
図４には、後側部分１０ｂの正面図が示されている。錘部材１１は、ヘッド本体１０のトウ側に固定されたトウ側の端部１１ａと、ヘッド本体１０のヒール側に固定されたヒール側の端部１１ｂとを有し、これらの間を連続してのびている。錘部材１１のトウ側の端部１１ａは、例えば、後側部分１０ｂのサイド部５のトウ側の内面５ｔに固着されている。錘部材１１のヒール側の端部１１ｂは、例えば、後側部分１０ｂのサイド部５のヒール側の内面５ｈに固着されている。錘部材１１は、前記端部１１ａ、１１ｂを除いて、トウ・ヒール方向に連続してヘッド本体１０の内面から離れており、これにより、中空部ｉの中で棒状に架け渡されている。
【００４１】
ソール部４とサイド部５との境界については、外観上、明瞭なエッジ又は曲率の著しい変化で区別しうる場合には、それらのエッジ又は曲率が変化している位置として区別され得る。これらの方法でもソール部４とサイド部５との境界が特定し得ない場合、ソール部４は、図２及び図４に示されるように、基準状態において、水平面ＨＰからの高さｈが４mm以内の範囲内の領域として、便宜的に定められる。
【００４２】
この態様では、錘部材１１の各端部１１ａ、１１ｂは、ヘッド本体１０と（例えば鋳造により）一体的に成形されている。一体成形に加えて、錘部材１１とヘッド本体１０とが、溶接により接合されていてもよい。これにより、両者が強固に接合され、耐久性に優れたヘッド１が得られる。溶接で固着される場合、錘部材１１に、ヘッド本体１０よりもさらに高比重の材料が採用可能であり、さらには、錘部材１１をよりソール側に接近させることができる。
【００４３】
図２及び図４に示されるように、錘部材１１は、ソール部４側を向く底面１５と、クラウン部３側を向く上面１６とを含んでおり、本実施形態では錘部材１１の横断面が略矩形状に形成されている。錘部材１１の横断面形状の他の態様として、例えば、円形状、楕円状、三角形状、平行四辺形状又は台形状などが採用されても良い。
【００４４】
基準状態の正面視において、錘部材１１の上面１６は、例えば、実質的にトウ・ヒール方向に沿って真っ直ぐにのびていても良いし、本実施形態のように、ソール部４側に凸で湾曲する部分を含んでいていても良い。底面１５も、例えば、実質的にトウ・ヒール方向に沿って真っ直ぐにのびていても良いし、本実施形態のように、ソール部４側に凸で湾曲する部分１７を含んでいていても良い。このような錘部材１１は、より低いヘッド重心ＣＧを提供するのに役立つ。
【００４５】
図５には、ヘッド１の水平面ＨＰに沿った水平断面が示されている。図６の（ａ）、（ｂ）及び（ｃ）は、それぞれ、錘部材１１のトウ側部１１Ｔ、中央部１１Ｃ及びヒール側部１１Ｈとして、図５のＴ−Ｔ線断面、Ｃ−Ｃ線断面及びＨ−Ｈ線断面での錘部材１１の断面形状が示されている。Ｃ−Ｃ線断面は、スイートスポットＳＳを含む前記ヘッド縦断面と同じ位置である。即ち、錘部材１１の中央部１１Ｃは、前記ヘッド縦断面の位置を含む領域とされる。Ｔ−Ｔ線断面及びＨ−Ｈ線断面は、Ｃ−Ｃ線断面から、それぞれトウ側及びヒール側に、錘部材１１の上面１６のトウ・ヒール方向の長さの３０％の距離を隔てた位置である。
【００４６】
図５及び図６に示されるように、錘部材１１の中央部１１Ｃは、錘部材１１のトウ側部１１Ｔの断面積Ａｔ及びヒール側部１１Ｈの断面積Ａｈよりも小さい断面積Ａｃを有している。このような錘部材１１は、中央部１１Ｃよりも、トウ側部１１Ｔ及びヒール側部１１Ｈに、より多くの重量を配分することができる。従って、本実施形態のヘッド１は、浅いヘッド重心ＣＧと、大きな慣性モーメントとを両立させる。
【００４７】
このような作用をより高めるために、中央部１１Ｃの最小の断面積Ａｃは、トウ側部１１Ｔの最大の断面積及びヒール側の最大の断面積の８０％以下、さらに好ましくは７０％以下、さらに好ましくは６０％以下とされ、本実施形態では、約５０％の例が示されている。
【００４８】
図５の実施形態では、錘部材１１には、ヘッド平面視において、フェース部２側に凹んだ凹部１８が設けられている。これにより、錘部材１１の中央部１１Ｃは、他の部分に比べて、ヘッド前後方向の小さい幅を持ち、ひいては、断面積（重量）が低減されている。本実施形態の凹部１８は、略Ｖ字状に形成されている。好ましい態様では、凹部１８は、ヘッド重心ＣＧよりも前側でかつヘッド重心ＣＧを通るヘッド前後方向線上に設けられるのが望ましい。より好ましくは、凹部１８の略Ｖ字状の頂部が、ヘッド重心ＣＧを通るヘッド前後方向線上に設けられるのが望ましい。これにより、錘部材１１は、中央部１１Ｃで最も小さい断面積を有し、そこからトウ側部１１Ｔ及びヒール側部１１Ｈに向かって断面積が滑らかに増加させることができる。さらに好ましい態様では、凹部１８は、ヘッド後方に向かって凹部の幅ｄが漸増する。このような錘部材１１は、ヘッド重心ＣＧからトウ側及びヒール側のより離れた位置に、多くの重量を配分することができる。
【００４９】
図７には、凹部１８の他の態様が示されている。この態様では、ヘッド平面視において、錘部材１１の凹部１８は、フェース部２側に凸の円弧状で形成されている。凹部１８の輪郭は、好ましくは、ヘッド重心ＣＧを中心とする半径Ｒの円弧状に形成される。もっとも、円弧状の中心点は、ヘッド重心ＣＧと一致することが最良であるが、他の設計上の要素や製造上の誤差などにより、そこからずれることも許容される。例えば、凹部１８の輪郭を規定する円弧の中心は、例えば、ヘッド重心ＣＧから５．０mm以内、好ましくは３．０mm以内、より好ましくは２．０mm以内、さらに好ましくは１．０mm以内、最も好ましくは０．５mm以内に位置しても良い。
【００５０】
図８及び図９には、錘部材１１の取付方法について、他の態様が示されている。この態様では、錘部材１１は、ヘッド本体１０の後側部分１０ｂにネジ２２で固着されている。後側部分１０ｂのサイド部の５のトウ側及びヒール側には、それそれ、錘部材１１を取り付けるためのトウ側の取付部２０及びヒール側の取付部２１が設けられている。
【００５１】
トウ側の取付部２０は、錘部材１１のトウ側の端部１１ａを前側から挿入しうる溝２４と、錘部材１１にネジ２２を挿入するための孔２３とが設けられている。この孔２３は、トウ側の取付部２０を、例えば、トウ・ヒール方向にのびて貫通している。
【００５２】
ヒール側の取付部２１は、錘部材１１のヒール側の端部１１ｂを前側から挿入しうる溝２５と、錘部材１１にネジ２２を挿入するための孔２６とが設けられている。この孔２６は、ヒール側の取付部２１を、例えば、トウ・ヒール方向にのびて貫通している。
【００５３】
錘部材１１には、そのトウ側の端部１１ａ及びヒール側の端部１１ｂに、それぞれ、ネジ孔２７及び２８が設けられている。錘部材１１は、各取付部２０、２１の溝２４、２５に、前側から挿入される。これにより、錘部材１１が、ヘッド本体１０の後側部分１０ｂで仮保持される。次に、各孔２３、２６からそれぞれネジ２２が挿入され、錘部材１１のネジ孔２７、２８に固定される。図９には、錘部材１１が固定された状態の断面図が示されている。このように、本実施形態では、簡単な構成でヘッド１が製造され得る。
【００５４】
上記実施形態において、例えば、ネジや錘部材１１には、ヘッド本体１０よりも大きな比重を有する材料が用いられても良い。これにより、ヘッド１のトウ及びヒール側に多くの質量が配分され、より大きな慣性モーメントを有するヘッド１を提供できる。
【００５５】
図１０には、第１実施形態のさらに他の態様が示されている。この態様では、錘部材１１は、ヘッド本体１０のソール部４にネジで固着されている。後側部分１０ｂのソール部４には、錘部材１１を取り付けるためのトウ側の取付部３１及びヒール側の取付部３２が設けられている。
【００５６】
トウ側の取付部３１は、ヘッド外面４０を局部的に凹ませることにより、中空部ｉ内に突出する凸部として形成されている。この凸部は、錘部材１１のトウ側の端部１１ａを下側から支えている。同様に、ヒール側の取付部３２は、ヘッド外面４０を局部的に凹ませることにより、中空部ｉ内に突出する凸部として形成されている。この凸部は、錘部材１１のヒール側の端部１１ｂを下側から支えている。これにより、錘部材１１は、トウ側の取付部３１とヒール側の取付部３２とで支持され、これらの間では、ソール部４の内面と接触することがない。
【００５７】
トウ側の取付部３１及びヒール側の取付部３２には、それぞれ、貫通する孔３３及び３６が形成されている。錘部材１１には、各孔３３、３６に連続するように、ネジ穴３４、３７が形成されている。ネジ３５、３８は、例えば、ソール部４の外面側からそれぞれ孔３３、３６を通って、ネジ穴３４、３７に固着される。
【００５８】
この実施形態では、錘部材１１はソール部４に固着されるが、上記したヘッド縦断面Ａを含む広い範囲で、錘部材１１をヘッド本体１０から離間させることができるので、前記実施形態と同様の作用が期待され得る。
【００５９】
全ての第１実施形態を通し、特に好ましい実施形態では、ヘッド正面視において、錘部材１１がヘッド本体１０と離間している領域の水平面ＨＰに沿った長さＷは、例えば、ヘッド幅の３５％以上、好ましくは４０％以上、さらに好ましくは５０％以上とされる。ヘッド幅は、基準状態のヘッドの正面視において、最もトウ側に突出したトウ側端位置と、水平面から２２．２３mmの高さの位置のヒール点との間の水平方向距離として定義される。
【００６０】
［第２実施形態］
次に、本発明の第２実施形態が説明される。第２実施形態において、第１実施形態で説明されたものと同じ又は共通する要素については同一の符合が付されている。そして、それらの要素については、第１実施形態の説明が援用されるため、詳細な説明が省略されている点に留意すべきである。
【００６１】
図１１には、第２実施形態のゴルフクラブヘッド（以下、単に「ヘッド」ということがある。）１００の斜視図が示されている。ヘッド１００は、内部の中空部ｉを画定するように、フェース部２、クラウン部３、ソール部４、サイド部５及びホーゼル部６が設けられている。この実施形態のヘッド１００も、ウッド型のものが示されているが、これに限定されるものではない。
【００６２】
ヘッド１００は、ヘッド本体１０と、ヘッド本体１０の中空部ｉに配された錘部材１１０とを具えている。ヘッド本体１０の構成については、第１実施形態と同じものが採用されている。
【００６３】
図１２は、ヘッド本体１０の後側部分１０ｂの斜視図が示されている。図１３には、後側部分１０ｂの正面図が示されている。図１４には、ヘッド１００の水平面ＨＰに沿った水平断面図が示されている。図１２乃至１４に示されるように、錘部材１１０は、トウ側の錘部材１１２と、ヒール側の錘部材１１４とを含んでいる。
【００６４】
図１３に示されるように、トウ側の錘部材１１２は、ヘッド本体１０のトウ側に固定されたトウ側の端部１１２ａからヒール側にのびかつ中空部ｉ内で途切れる第１端部１１２ｂを有する。トウ側の錘部材１１２は、トウ側の端部１１２ａのみでヘッド本体１０と接触しており、そこから第１端部１１２ｂまで、ヘッド本体１０の内面と接触することなく、例えば、棒状にのびている。好ましい態様では、トウ側の錘部材１１２は、本実施形態のように、横断面の最大寸法（横断面が円形の場合にはその直径、横断面が矩形の場合にはヘッド前後方向の長さ）よりも大きいトウ・ヒール方向の長さを有する。
【００６５】
ヒール側の錘部材１１４は、ヘッド本体１０のヒール側に固定されたヒール側の端部１１４ａからトウ側にのびかつ中空部ｉ内で途切れる第２端部１１４ｂを有する。ヒール側の錘部材１１４は、ヒール側の端部１１４ａのみでヘッド本体１０と接触しており、そこから第２端部１１４ｂまで、ヘッド本体１０の内面と接触することなく、例えば、棒状にのびている。好ましい態様では、ヒール側の錘部材１１４は、本実施形態のように、横断面の最大寸法よりも大きなトウ・ヒール方向の長さを有する。
【００６６】
図１５（ａ）及び（ｂ）には、図１４のＴ−Ｔ線断面、及び、Ｈ−Ｈ線断面がそれぞれ示されている。本実施形態のトウ側の錘部材１１２及びヒール側の錘部材１１４は、その横断面の周囲には、連続した隙間が設けられ、あたかも中空部ｉ内で宙に浮いたように配置されている。これらの隙間は、ボール打撃時、ヘッド本体１０が弾性変形したときでも両者を非接触の状態に保つ。隙間は、好ましくは１mm以上、より好ましくは２mm以上、さらに好ましくは３mm以上とされるのが良い。
【００６７】
本実施形態の錘部材１１０も、例えば、フェース部２とソール部４とがなすコーナ部（リーディングエッジ２ｅ）側に寄せて設けられているのが望ましい。好ましい実施形態では、トウ側の錘部材１１２の重心ｇ１は、ヘッド重心ＣＧよりもフェース部２側でかつソール部４側に位置する。同様に、ヒール側の錘部材１１４の重心ｇ２も、ヘッド重心ＣＧよりもフェース部２側でかつソール部４側に位置している。さらに好ましい一態様では、トウ側の錘部材１１２及びヒール側の錘部材１１４の全部が、ヘッド重心ＣＧよりもソール部４側に位置している。さらに好ましい一態様では、トウ側の錘部材１１２及びヒール側の錘部材１１４の全部が、ヘッド重心ＣＧよりもフェース部２側に位置している。このようなヘッド１は、より低くかつ浅いヘッド重心ＣＧを持つことができるので、例えば、上級者が好む弾道（低スピン量の弾道）を達成しうる。
【００６８】
図１３及び図１４に示されるように、トウ側の錘部材１１２の第１端部１１２ｂと、ヒール側の錘部材１１４の第２端部１１４ｂとは、互いに向き合っているが、離間している。この実施形態では、第１端部１１２ｂと第２端部１１４ｂとは、トウ・ヒール方向に離間している。既に述べた第１実施形態では、錘部材１１は、１本の両端支持梁のように構成されていたが、この実施形態では、錘部材１１０が、トウ側の錘部材１１２と、ヒール側の錘部材１１４とに分けて構成され、それぞれが、片持ち梁状に構成されている。
【００６９】
以上のように構成された本実施形態のヘッド１００において、フェース２ａでボールを打撃した場合、フェース部２及びソール部４は、実質的に錘部材１１の制約を受けることなく撓むことができる。さらに、本実施形態の錘部材１１０は、クラウン部３やソール部４の剛性を過度に高めることもない。従って、ボール打撃時、クラウン部３やソール部４は、柔軟に撓むことができるため、本実施形態のヘッド１００は、優れた反発性能を発揮できる。
【００７０】
さらに、本実施形態のヘッド１００の錘部材１１２及び１１４は、いずれも、図１４のスイートスポットＳＳを通るヘッド縦断面（Ｃ−Ｃ線断面）を横切っておらず、その手前で終端する各々の第１端部１１２ｂ及び第２端部１１４ｂを有している。従って、例えば、第１実施形態において、第１端部１１２ｂと第２端部１１４ｂとの間に配分されていた錘部材の重量は、トウ側の錘部材１１２及びヒール側の錘部材１１４にそれぞれ分けて配分され得る。従って、本実施形態のヘッド１００は、限られた配分重量を、トウ側及びヒール側により多くかつ集中的に配分することができる。これにより、本実施形態のヘッド１００は、例えば、浅いヘッド重心を提供しながら、第１実施形態のヘッドよりも、さらに大きな慣性モーメントを提供することができる。
【００７１】
全ての第２実施形態での好ましい態様として、図１３に示されるようなヘッド正面視において、トウ側の錘部材１１２がヘッド本体１０と離間している領域の水平面ＨＰに沿った長さＷ１と、ヒール側の錘部材１１４がヘッド本体１０と離間している領域の水平面ＨＰに沿った長さＷ２との和Ｗ１＋Ｗ２は、例えば、前記ヘッド幅の１２．５％以上、好ましくは２０％以上、さらに好ましくは３０％以上とされる。また、第１端部１１２ｂと第２端部１１４ｂとの間の水平面ＨＰに沿った長さＷ３は、好ましくは１０mm以上、より好ましくは１５mm以上とされるのが良い。
【００７２】
特に好ましい態様として、第２実施形態のヘッド１００は、フェースプログレッション以上かつ２７．０mm以下という浅い重心深度と、２７００ｇ・cm2以上という大きな慣性モーメントとを両立することができる。ここで、ヘッドの重心深度は、図１６に示されるように、基準状態のヘッド１００の側面視において、リーディングエッジ２ｅからヘッド重心ＣＧまでの水平距離Ｌとして定義される。また、フェースプログレッションは、図１６に示されるように、シャフト軸中心線ＣＬとリーディングエッジまでのヘッド前後方向距離ＦＰで表される。さらに、上記慣性モーメントは、ヘッド重心ＣＧを通る垂直軸周りの慣性モーメントである。重心深度の下限として、フェースプログレッションを採用したのは、シャフト軸中心線ＣＬよりも前にヘッド重心ＣＧが位置している場合、ボール打撃時に、ロフト角が小さくなる可能性があるためである。
【００７３】
なお、フェースプログレッション（ＦＰ）の一例を説明すると、例えば、ドライバー（＃１）では、１９．５mm（ロフト角９．５度）、２０．４mm（ロフト角１０．５度）である。フェアウェイウッドの（＃３）では１６．５mm、（＃４）では１７．５mm、（＃５）では、１８．５mmである。また、ユーティリティー型（ハイブリッド型）の（＃３）では１３．１mm、（＃４）では１４．０mm、（＃５）では、１４．９mmである。
【００７４】
図１７には、USGAのゴルフ規則を満足する比較対象のゴルフクラブヘッドについて、重心深度と慣性モーメントとの関係を調べた散布図が示されている。この散布図は、縦軸に慣性モーメントが、横軸に重心深度がそれぞれ設定されている。
【００７５】
図１７から明らかなように、比較対象のゴルフクラブヘッドでは、重心深度が小さくなると、慣性モーメントも小さくなる傾向があり、特に重心深度が２７．０cm以下の浅いヘッドの慣性モーメントは、せいぜい２６００ｇ・cm2程度である。これに対して、本発明の第２実施形態のヘッド１００では、２７００ｇ・cm2以上、さらには２８００ｇ・cm2以上という大きな慣性モーメントを実現することが可能になる。このような浅い重心深度及び大きい慣性モーメントの両立は、第２の実施形態によってもたらされる顕著な効果の一つである。このようなヘッドは、例えば、低バックスピン量の弾道を提供しつつ、ミスヒット時、ヘッド重心を通る垂直軸周りの微小回転が抑制され、ひいては、打球のサイドスピン量の増加をも抑制しうる。従って、本実施形態のヘッド１は、打球の方向性にも優れる。
【００７６】
より好ましい態様では、ヘッド１００の前記慣性モーメントは、２７５０ｇ・cm2以上、さらに好ましくは２８００ｇ・cm2以上の範囲とされる。同様に、ヘッド１００の重心深度は、より好ましくは２６．５mm以下、さらに２６．０mm以下の範囲とされる。
【００７７】
さらに好ましいものとして、本実施形態のヘッド１００は、重心深度率が｛１００×フェースプログレッションＦＰ／ヘッド前後方向最大長さＨＬ｝％以上かつ３３．０％以下の範囲とされる。ここで、重心深度率とは、重心深度（mm）をヘッド前後方向最大長さ（mm）で除した値の百分率であり、下式で定義される。また、ヘッド前後方向最大長さＨＬは、図１６に示されるように、基準状態のヘッド１００の側面視において、リーディングエッジ２ｅからヘッドの最も後方の位置１００ｅまでの水平距離とされる。重心深度率は、ヘッドの大きさの影響を排除してヘッド前後方向でのヘッド重心の位置を無次元化して表したもので、値が小さいほど浅い重心であることを示す。なお、重心深度率の下限が｛フェースプログレッションＦＰ／ヘッド前後方向最大長さＨＬ｝％以上とされているのは、これを下回ると、ボール打撃時に、ロフト角が小さくなる可能性があるためである。
重心深度率（％）＝１００×重心深度（mm）／ヘッド前後方向最大長さ（mm）
【００７８】
図１８には、比較対象のゴルフクラブヘッドについて、重心深度率と慣性モーメントとの関係を調べた散布図が示されている。この散布図は、縦軸に慣性モーメントが、横軸に重心深度率がそれぞれ設定されている。図１８から明らかなように、本実施形態にかかるヘッドは、重心深度率が３３．０％以下と小さいながらも、２７００ｇ・cm2以上の慣性モーメントを提供するものである。このような小さい重心深度率及び大きい慣性モーメントの両立は、第２の実施形態によってもたらされる顕著な効果の一つである。特に好ましい態様では、重心深度率は、３２．０％以下の範囲が望ましい。
【００７９】
図１４の実施形態では、ヘッド平面視において、トウ側の錘部材１１２の第１端部１１２ｂと、ヒール側の錘部材１１４の第２端部１１４ｂとは、ほぼ平行にのびている。換言すれば、第１端部１１２ｂと第２端部１１４ｂとの離間長さＳは、ヘッド後方に向かってほぼ一定である。これに対して、例えば、図１９のような変更が可能である。図１９の態様では、ヘッド平面視において、トウ側の錘部材１１２の第１端部１１２ｂと、ヒール側の錘部材１１４の第２端部１１４ｂとの離間長さＳは、ヘッド後方に向かって大きくなっている。このような錘部材１１０は、ヘッド重心ＣＧからトウ側及びヒール側に離れた位置に、より多くの重量を配分することができ、ひいてはより大きな慣性モーメントを提供することができる。
【００８０】
図２０には、第２実施形態のさらに他の態様が示されている。この態様では、ヘッド平面視において、トウ側の錘部材１１２の第１端部１１２ｂと、ヒール側の錘部材１１４の第２端部１１４ｂとは、中心ＥＣ１を有する円弧に沿った曲線状に形成されている。中心ＥＣ１は、ヘッド平面視において、ヘッド重心ＣＧ上にあるか、ヘッド重心ＣＧから３mm以内の位置に設定されるのが望ましい。このような錘部材１１０は、ヘッド重心ＣＧからより離れたトウ側及びヒール側の位置に重量を効率的に配分でき、さらに、大きな慣性モーメントを提供することができる。
【００８１】
図２１には、第２実施形態のさらに他の態様が示されている。この態様では、ヘッド平面視において、トウ側の錘部材１１２の断面積は、トウ側に向かって徐々に大きくなるように構成されている。同様に、ヒール側の錘部材１１４の断面積は、ヒール側に向かって徐々に大きくなるように構成されている。この実施形態では、トウ側の錘部材１１２のヘッド前後方向の長さは、トウ側に向かって漸増している。同様に、ヒール側の錘部材１１４のヘッド前後方向の長さは、ヒール側に向かって漸増している。このような錘部材１１０は、ヘッド重心ＣＧからより離れたトウ側及びヒール側の位置に重量を効率的に配分でき、さらに、大きな慣性モーメントを提供することができる。
【００８２】
図２２には、第２実施形態のさらに他の態様が示されている。この態様では、図２２に示されるヘッド正面視において、トウ側の錘部材１１２の第１端部１１２ｂと、ヒール側の錘部材１１４の第２端部１１４ｂとは、中心ＥＣ２を有する円弧に沿った曲線状に形成されている。中心ＥＣ２は、ヘッド正面視において、ヘッド重心ＣＧから３mm以内に設定されるのが望ましく、特に好ましくはヘッド重心ＣＧ上に設けられている。このような錘部材１１０は、ヘッド重心ＣＧからトウ側及びヒール側のより離れた位置かつより低所に重量を配分し、さらに、大きな慣性モーメントを提供することができる。
【００８３】
図２３には、第２実施形態のさらに他の態様が示されている。この態様では、図２３に示されるヘッド正面視において、トウ側の錘部材１１２の第１端部１１２ｂと、ヒール側の錘部材１１４の第２端部１１４ｂとは、下に向かって傾斜した斜面で形成されている。このような錘部材１１０も、図２２の実施形態とほぼ同様に、ヘッド重心ＣＧからトウ側及びヒール側のより離れた位置かつより低所に重量を配分し、さらに、大きな慣性モーメントを提供することができる。
【００８４】
［その他の実施形態］
第１実施形態及び第２実施形態の各ヘッド１、１００において、錘部材１１、１１０のヘッド前後方向の位置を変えるための第１調節手段５０又は錘部材１１、１１０のヘッド上下方向の位置を変えるための第２調節手段６０が設けられても良い。
【００８５】
図２４には、このような第１調節手段５０及び第２調節手段６０が第２実施形態のヘッド１００に適用された態様が示されている。
【００８６】
第１調節手段５０は、例えば、ヘッド本体１０に設けられたヘッド前後方向にのびる第１スロット５１と、第１スロット５１を通して錘部材１１０を所定の位置でヘッド本体１０に固定するためのネジ５２とを含んでいる。
【００８７】
この実施形態において、第１スロット５１は、サイド部５に設けられている。好ましくは、第１スロット５１は、サイド部５のトウ側に設けられたトウ側の第１スロット５１ａと、サイド部５のヒール側に設けられたヒール側の第１スロット５１ｂとを含んでいる。各スロット５１ａ及び５１ｂは、実質的に水平にのびている。
【００８８】
ネジ５２は、第１スロット５１の幅よりも小さい径を有するネジ軸部５２ａと、第１スロット５１の幅よりも大きい径を有する頭部５２ｂとを有する。従って、ネジ５２は、例えば、ヘッド本体１０の外方から、第１スロット５１を通り、錘部材１１０のネジ孔２７、２８に挿入され得る。この実施形態では、トウ側の第１スロット５１ａから、ネジ５２が、錘部材１１２のトウ側のネジ孔２７にねじ込まれ、ヒール側の第１スロット５１ｂから、ネジ５２が、錘部材１１４のヒール側のネジ孔２８にねじ込まれる。これにより、例えば、ネジ５２の頭部５２ｂとヘッド本体１０との摩擦により、錘部材１１２、１１４がヘッド本体１０の任意の位置で固定される。この際、錘部材１１２、１１４は、ヘッド本体１０のソール部４の内面とは、接触することなく固定され得る。
【００８９】
錘部材１１のヘッド前後方向の位置を変える場合、ネジ５２の一方が、例えば、錘部材１１０から完全に離脱させることなく緩められる。その後、調節者は、両側のネジ５２を、第１スロット５１に沿って前後に移動させることができる。これにより、ヘッド本体１０の内部にある錘部材１１０は、ネジ５２とともに、第１スロット５１に沿って前後に移動することができる。錘部材１１０が好ましい位置へ移動させられた後、ネジ５２は、再び、錘部材１１０にきつく締め付けられ、錘部材１１０がヘッド本体１０に固定される。これにより、ヘッド重心が、前後方向に調節される。好ましい態様では、錘部材１１２、１１４は、ヘッド本体１０に対して回転できないように、第１スロット５１にスライドのみ可能に挿入される係合部（図示省略）を具えているのが望ましい。
【００９０】
第１調節手段５０は、錘部材１１０のヘッド前後方向の位置を調節することができるものであれば、それらのあらゆる態様を含み、上記具体的な例示に限定されるものではない。さらに、好ましい態様として、錘部材１１０の位置が調整された後、第１スロット５１は、着脱可能なカバー等で塞がれても良い。
【００９１】
第２調節手段６０は、例えば、ヘッド本体１０に設けられたヘッド上下方向にのびる第２スロット６１と、第２スロット６１を通して錘部材１１２、１１４を所定の位置でヘッド本体１０に固定するためのネジ６２とを含んでいる。このネジ６２は、第１調節手段５０のネジ５２と兼用されている。
【００９２】
この実施形態において、第２スロット６１は、サイド部５に設けられている。好ましくは、第２スロット６１は、サイド部５のトウ側に設けられた少なくとも１本のトウ側の第２スロット６１ａと、サイド部５のヒール側に設けられた少なくとも１本のヒール側の第２スロット６１ｂとを含んでいる。この実施形態では、トウ側の第２スロット６１ａ及びヒール側の第２スロット６１ｂは、それぞれ複数本設けられている。
【００９３】
このような実施形態では、錘部材１１２、１１４のヘッド上下方向の位置を変える場合、ネジ６２の一方が、例えば、錘部材１１０から完全に離脱させることなく緩められる。その後、調節者は、両側のネジ６２を、第２スロット６１に沿って上下に移動させることができる。これにより、ヘッド本体１０の内部にある錘部材１１０は、ネジ６２とともに、第２スロット６１に沿って上下に移動することができる。錘部材１１０が好ましい位置へ移動させられた後、ネジ６２は、再び、錘部材１１０にしっかりと締め付けられ、錘部材１１は、ヘッド本体１０に固定される。これにより、ヘッド重心が、ヘッド上下方向に調節される。好ましい態様では、錘部材１１２、１１４は、ヘッド本体に対して回転できないように、第２スロット６１にスライドのみ可能に挿入される係合部（図示省略）を具えているのが望ましい。
【００９４】
好ましい態様では、第２スロット６１は、第１スロット５１と交差してのびている。このような実施形態では、錘部材１１０は、ヘッド前後方向及びヘッド上下方向の２方向に関して位置を変えることが可能である。これにより、ヘッド重心もヘッド前後方向及びヘッド上下方向に調節され得る。
【００９５】
第２調節手段６０は、錘部材１１０のヘッド上下方向の位置を調節することができるものであれば、あらゆる態様を含み、上記具体的な例示に限定されるものではない。また、上記実施形態では、第２調節手段６０は、第１調節手段５０と一緒に設けられているが、第２調節手段６０のみが設けられても良い。さらに、好ましい態様として、錘部材１１０の位置が調整された後、第２スロット６１は、着脱可能なカバー等で塞がれても良い。
【００９６】
以上、本発明のいくつかの実施形態が詳細に説明されたが、本発明は、上記の具体的な実施形態に限定されるものでなく、種々の態様に変更して実施される。また、第１実施形態の中で説明された構成と、第２実施形態の中で説明された構成とは、相互に置換し、又は、転用することが可能である。
【実施例】
【００９７】
ウッド型のヘッドが、表１の仕様に基づき試作され、各ヘッドの重心深度、及び、慣性モーメントが測定された。比較例１は、図２５に示されるように、錘部材１１がソール部４の内面から立ち上がっているものとした。図２５で用いられている符合は、理解を容易にするために、第１実施形態及び第２実施形態に相当する符合が割り当てられているに過ぎず、かならずしも同じ要素であることを示すものではない点に注意すべきである。比較例２は、図５に示した構造を基調としているが、錘部材に凹部が設けられておらず、断面積がトウ・ヒール方向で一定とされている。実施例及び比較例を通して、各ヘッドは、錘部材以外については、実質的に同一の構造が採用されている。各ヘッドの主要な共通仕様は、以下の通りである。
【００９８】
ヘッド体積：１８０cc
ヘッド質量：２１４ｇ
ロフト角：１５°
フェースプログレッション：１５．９mm
ヘッド本体の前側部分の材料：CUSTOM455
ヘッド本体の前側部分の比重：７．８０
ヘッド本体の後側部分の材料：CUSTOM450
ヘッド本体の後側部分の比重：７．８３
錘部材の材料：CUSTOM450
錘部材の比重：７．８３
錘部材の質量：４８ｇ
【００９９】
またヘッドの重心深度は、上述の通り、基準状態において、リーディングエッジからヘッドの重心までの水平距離として測定された。さらに、ヘッド重心を通る垂直軸回りの慣性モーメントＩzが測定された。テストの結果は、表１に示されている。
【０１００】
【表１】
0005852756.tif 000002
【０１０１】
テストの結果、実施例のヘッドは、比較例のヘッドに比べて、ヘッド重心を浅く維持しながら、高い慣性モーメントを提供していることが確認できた。
【符号の説明】
【０１０２】
１、１００  ゴルフクラブヘッド
２  フェース部
３  クラウン部
４  ソール部
１０  ヘッド本体
１１、１１０  錘部材
１１２  トウ側の錘部材
１１ａ、１１２ａ  トウ側の端部
１１２ｂ  第１端部
１１４  ヒール側の錘部材
１１ｂ、１１４ａ  ヒール側の端部
１１４ｂ  第２端部
【要約】
【課題】  ヘッド本体と錘部材とを具えたゴルフクラブヘッドに関し、詳しくは大きな慣性モーメントを具えたゴルフクラブヘッドを提供する。
【解決手段】  内部に中空部ｉを具えたゴルフクラブヘッドであって、フェース部、クラウン部及びソール部を有するヘッド本体１０と、ヘッド本体１０の中空部ｉ内に配された錘部材１１とを具える。錘部材１１は、ヘッド本体１０のトウ側に固定されたトウ側の端部１１ａと、ヘッド本体のヒール側に固定されたヒール側の端部１１ｂとの間を連続してのびている。スイートスポットを含むヘッド縦断面において、錘部材１１は、ヘッド本体の内面と接触することなく設けられている。錘部材のトウ・ヒール方向の中央部は、錘部材のトウ側部の断面積及びヒール側部の断面積よりも小さい断面積を有している。
【選択図】  図３【図１】
0005852756.tif 000003
【図２】
0005852756.tif 000004
【図３】
0005852756.tif 000005
【図４】
0005852756.tif 000006
【図５】
0005852756.tif 000007
【図６】
0005852756.tif 000008
【図７】
0005852756.tif 000009
【図８】
0005852756.tif 000010
【図９】
0005852756.tif 000011
【図１０】
0005852756.tif 000012
【図１１】
0005852756.tif 000013
【図１２】
0005852756.tif 000014
【図１３】
0005852756.tif 000015
【図１４】
0005852756.tif 000016
【図１５】
0005852756.tif 000017
【図１６】
0005852756.tif 000018
【図１７】
0005852756.tif 000019
【図１８】
0005852756.tif 000020
【図１９】
0005852756.tif 000021
【図２０】
0005852756.tif 000022
【図２１】
0005852756.tif 000023
【図２２】
0005852756.tif 000024
【図２３】
0005852756.tif 000025
【図２４】
0005852756.tif 000026
【図２５】
0005852756.tif 000027